(57)【特許請求の範囲】
【請求項１】
コーヒー豆を焙煎して粉砕し、コーヒーとして飲用後の排出滓を乾燥させ、または前記排出滓をさらに焙煎して得る素材を石膏材によって固めた層状物を室内側層とし、使用済みの古タイヤを裁断して得た細断片および／または粉末物を、石膏によって固めた層状物を室外側層として、両側を板状物体で覆ったことを特徴とする再生資源よりなる建物用建材。
【請求項２】
板状物体が厚紙またはベニヤ合板、銘木合板などからなることを特徴とする請求項１記載の再生資源よりなる建物用建材。
【発明の詳細な説明】
【０００１】
【発明の属する技術分野】
この発明は、コーヒー飲用後の排出滓、廃棄される古タイヤの細断片などを再生資源として利用したシックハウス（室内空気汚染）対策用建材として、防音、防振性能を加え、複合的性能効果を兼ね備えた建材に閧するものである。
【０００２】
【従来の技術】
新築住宅においてシックハウスの問題が起きている。すなわち新築住宅の建材に用いられる数々の化学物質の揮発成分が、そこに住む人の健康を害することは由々しきこととして社会問題化している。たとえばこのシックウスの重要な原因の一つに、内装材としての壁紙（クロス）を貼るために用られる接着糊剤に含有するところの、ホルマリン（ホルムアルデヒド）の揮発成分が有害であることが指摘されている。現状のシックハウス（室内空気汚染）問題対策は、かび防止用ホルマリン（ホルムアルデヒド）に含有したクロス用接着糊剤の使用を止め、通常の糊を使用して、かび防止のために通気性のよい和紙系壁紙を貼るか、昔ながらの漆喰壁を塗る方法などに依存する程度の技術レベルである。そして一方においては産業廃棄物の廃棄問題が深刻化している。中でも従来において、使用できなくなった自動車のタイヤは、一部は再生タイヤとして再利用されるか、特殊の用途、たとえば公園の遊戯具としての再利用、船や岸壁の接岸の際の防御用具などに転用されるなどで、再利用として有用な活用、利用面が少なく、その大半は使用済みとなった場合、廃棄されるのが常となっている。しかし近年、自動車の増加に伴って廃棄される古タイヤは増加する一方であり、その後始末の問題は深刻化の一途をたどっている。現実としては自動車のタイヤを新品に取り替えた場合、それは購入店やその倉庫、適当な積載場所などに野積み状態で放置され、引き取り手はなく、それを始末するには、有料で廃棄業者に任せることとなり、その結果、大半が焼却されることとなるが、この焼却についても公害の発生などの問題を提起している。しかしこのような廃棄物とされる古タイヤには、資源として再利用できる有用な材質が多々含まれており、現状のような利用の仕方をさらに有効に利用発展させることは、資源の再利用、リサイクルの叫ばれる現在、急務なことである。
【０００３】
転じて吾人が嗜好品として日常飲用とするコーヒーがある。それはコーヒー豆を原料として、それを適度に焙煎して粉砕し、水または湯を加えて濾過し、コーヒーとして飲用しているのであるが、その際に当然ながら、そのコーヒー豆の搾り滓（排出滓）が出る。それは一部肥料やその他の用途が考えられるに止まり、現在それは殆ど単なる廃棄物として捨てられ、顧みられることはないのが現状である。とくに、営業・商業的なコーヒー缶飲料の生産工場などでは、毎日夥しい量が出される搾り滓を、廃棄するに当たっては費用を支払ってそれを廃棄業者に依頼しているのが現状である。ここでコーヒーとして飲用された後のコーヒー豆の搾り滓には、コーヒー豆の外殻を形成した独特の繊維質の活性炭分と、それに含まれる独特で良好な油脂などが含まれており、乾燥して水分を除去すれば、そこには前記コーヒー豆の外殻を形成した繊維質の活性炭分と、良好な油脂分が存在する。そのコーヒー豆の搾り滓を利用し、さらに焙煎することによって、より活性炭性能効果を高め、ホルマリン（ホルムアルデヒド）などの室内空気汚染の有機化合物を吸収、濾過して防臭、脱臭し、健康に対する配慮などを具備した好適な材質を提供することとなる。
【０００４】
【発明が解決しようとする課題】
この発明は、ある一つの産業から出る廃棄産業物をそのまま廃棄してしまうのではなく、それを進んで他の産業の生産過程に取り込んで資源として利用し、循環型社会において付加価値のある製品化をもたらすものである。すなわちそれは住宅建材や合板接着材などに含まれる揮発性有機化合物などで、頭痛やめまいなどを起こすシックハウス（室内空気汚染）問題を、産業廃棄物であるコーヒー豆の排出滓を乾燥、またはさらに焙煎した素材を用いることによって、その特性の活性炭成分効果を持った、建材を得ることにある。また使用済みの古タイヤを裁断して得た細断片または粉末物を素材として、前記シックハウス対策用建材に共有することによって、防音、防振効果も同時に得られるところの、複合的なレベルの高い建材を得ることにある。これらの素材は産業廃棄物であることにより、入手し易く、経済的であり、また施工性が容易であると同時に、循環型社会にふさわしいことが長所となる。
【０００５】
【課題を解決するための手段】
コーヒー豆を焙煎して粉砕し、コーヒーとして飲用後の排出滓を乾燥させ、または前記排出滓をさらに焙煎して得る素材を石膏材によって固めた層状物を室内側層とし、使用済みの古タイヤを裁断して得た細断片および／または粉末物を、石膏によって固めた層状物を室外側層として、両側を板状物体で覆ったことを特徴とする再生資源よりなる建物用建材、板状物体が厚紙またはベニヤ合板、銘木合板などからなることを特徴とする前記記載の再生資源よりなる建物用建材の構成とする。
【０００６】
【発明の実施の形態】
図面によってこの発明の使用例を述べる。図１において示すように活性炭成分（Ｋ）、すなわちコーヒー豆を焙煎して粉砕し、コーヒーとして飲用後の排出滓を乾燥させ、またはその排出滓をさらに焙煎し、それらを必要に応じて粉砕して得る粉状物［粗さは自由であり、比較的粗くてもよい］の素材を、石膏材（２）によって固めた層状物（３）を中心にして、板状物体（４），（４’）で覆い一体的に形成して壁用または天井用の建物用建材（Ａ１）とする。ここで板状物体（４），（４’）は、厚紙またはベニヤ合板などからなるものであり、厚紙は通気性のものが好適であり、ベニヤ合板には適宜、穿孔によって通気性をもたせるとよい。一方、石膏材（２）は耐火性であり、このように活性炭成分（Ｋ）を混入して一体的に形成することによって、活性炭成分（Ｋ）の作用による防臭、脱臭効果をも付与した建材［壁、天井材］となる。すなわちこのような活性炭成分（Ｋ）を含む構成とすることにより、その上に貼る壁紙・クロスなどを貼るために使用する接着糊が有機系のものであって、その揮発成分が健康に悪影響を及ぼすことに対して、内部に入れた前記の活性炭成分（Ｋ）が、その揮発成分を吸収して防臭、脱臭効果を果たし、さらにこの揮発成分が揮発する一定期間の悪影響を防止する。
【０００７】
つぎに図２において示すような使用済みの古タイヤ（Ｔ）を、その中に含まれる金属線を除き、図３において示すように細かく裁断して、ほぼ米粒大を中心に、ほぼ粟粒位までの大きさの細断片（１）とする。これはまたは粉末状として粉末物（１’）としてもよい。これにさらに前記の活性炭成分（Ｋ）を混入し、前記の石膏材（２）で固め、板状物体（４），（４’）で覆って、一体的に形成して壁用または天井用の建物用建材（Ａ２）とする。これは石膏材（２）の耐火性、活性炭成分（Ｋ）の前記の作用による防臭、脱臭効果と、古タイヤ（Ｔ）の細断片（１）などによってもたらされる防音、断熱、防振性などを備えた建材［壁、天井材］となる。
【０００８】
つぎに図４に示すのはこの発明の最適の実施例であって、室内側に、前記の活性炭成分（Ｋ）を石膏材（２）によって固めて内層（３’）とし、使用済みの古タイヤを裁断して得た細断片（１）および粉末物（１’）を石膏材（２）で固めて外層（３”）とし、板状物体（４），（４’）で覆って一体的に形した壁用または天井用の建物用建材（Ａ３）としたものである。すなわち建物の内側にある内層（３’）と外側にある外層（３”）の構成により、内層（３’）においては防臭、脱臭効果を果たし、外層（３”）においては防音、断熱、防振性、内層に比して強度を備えた構成となる。
【０００９】
つぎに図５は使用済みの古タイヤを裁断して得た細断片（１）などと、コーヒー豆を焙煎して粉砕し、コーヒーとして飲用後の排出滓を乾燥させ、または排出滓）を、適宜の割合で適宜の接着剤（ａ）で固定して層状物（３ａ）とし、一面または両面を銘木合板（４ａ）、一面が銘木合板（４ａ）の際には他面をベニヤ合板の板状物体（４），（４’）で覆った扉材（Ｄ）である。ここに用いる接着剤は、一例として現在、合成ゴム系接着剤として、アメリカ、アームストロング社発売［日本代理店ＡＢＣ商会：東京都千代田区永田町所在］の『Ｓ２３５』といわれる接着剤が好適である。なおその他、各種の合成樹脂系接着剤も使用でき、またそれは天然系の接着剤でもよい。なお層状物（３ａ）内に前記の石膏材（２）を混入して接着剤無しの扉材としてもよい。これらによっても前記のように防音性、防振性などを具備し、そして健康に配慮した扉材が得られる。
【００１０】
前記の古タイヤ（Ｔ）は、建物用建材（Ａ１）〜（Ａ３）、扉材（Ｄ）を製作する素材としては、それを豊富に容易に得ることができるものであり、そしてこのような古タイヤ（Ｔ）を、建物用建材（Ａ１）〜（Ａ３）、扉材（Ｄ）に利用する際においては、その加工処理の細断または粉末状の粉末物とすることは容易にできる。このようにして得られた建物用建材（Ａ１）〜（Ａ３）、扉材（Ｄ）は建物用建材として必要な防音性、防振性を基本的に有し、また断熱性を有し、暑さ、寒さなどに対する耐候性を備える有効な建材となる。さらに石膏材（２）を加えることによって、充分に耐火性、不燃性を付与することができる。
【００１１】
さらにまた活性炭成分（Ｋ）としてのコーヒー豆を焙煎して粉砕し、コーヒーとして飲用後の排出滓を乾燥させ、またはその排出滓をさらに焙煎し、必要に応じて粉砕して得る素材を混入して一体的に形成することによって、活性炭成分の作用による防臭、脱臭効果を付与することができる。それはこのような活性炭分を含む構成を採用することにより、その上に貼る壁紙・クロスなどを壁や天井に貼るために使用する接着糊が有機系のものであって、その揮発成分が健康に悪影響を及ぼすことに対して、前記の活性炭成分が、その揮発成分を吸収して防臭、脱臭効果を果たし、さらにこの揮発成分が揮発する一定期間の悪影響を防止する。またここにおける層状物（３ａ）に使用する接着剤（ａ）が、同様の問題を含むときに対しても、この活性炭成分（Ｋ）を含む構成を採用することにより、同様な効果をもたらすこととなる。
【００１２】
また使用済みの古タイヤを裁断して得た細断片および／または粉末物と、コーヒー豆を焙煎して粉砕し、コーヒーとして飲用後の排出滓を乾燥させ、またはその排出滓をさらに焙煎し、必要に応じて粉砕して得る素材を、接着剤で固定して層状物とし、両面をベニヤ合板で覆って床材、畳材とすることもできる。また使用済みの古タイヤを裁断して得た細断片および／または粉末物と、コーヒー豆を焙煎して粉砕し、コーヒーとして飲用後の排出滓を焙煎、破砕して得る素材に接着剤を混入し、室内の内壁に直接吹き付け、または塗布してシックハウス対策のための防御層を形成することもできる。それらは前記の活性炭成分を有することにより、シックハウス（室内空気汚染）の原因となるところの、壁紙、クロス、家具、調度品、カーペット、カーテン、ワックス、塗料などに含有する有機系の化学汚染物質の揮発成分が、健康に悪影響を及ぼすことに対して、前記の活性炭成分が、それらの揮発成分を吸収して防臭、脱臭効果を果たし、さらにこの揮発成分が揮発する一定期間の悪影響を防止する。
【００１３】
【発明の効果】
この発明においては、建物用建材の一つの素材として、使用済みの古タイヤを再利用（リサイクル）材として採用し、それを細断して得た裁断片および／または粉状物に石膏材を組み合わせた構成とする。古タイヤは自動車の増加とともに急速にその数を増しており、それを利用する有効な方策が充分に開発されないまま、最終的には焼却されるなどの手段で処理される分が多い現状において、それを利用することは資源の再利用（リサイクル）としてまことに有用なこととなる。このような古タイヤは建物用建材を製作する素材としては、それを豊富に容易に得ることができるものであり、そしてこの古タイヤを、建物用建材に利用する際においては、その利用における加工処理は容易にであり、これによって得られた建物用建材は防音性、防振性を基本的に有し、また断熱性をも有することにより、暑さ、寒さなどに対する耐候性を備える有効な建物用建材となり、さらに耐熱性、耐火性、不燃性を付与する。
【００１４】
さらにもう一つの素材としての活性炭成分としては、コーヒー豆を焙煎して粉砕し、それをコーヒーとして飲用後の排出滓を混入して一体的に形成することによって、健康に害を及ぼすと考えられる不要物の吸収、防臭、脱臭効果を付与するもので、これによってハウスシック対策の建物用建材を得ることができる。このような建材は各用途に応じて、必要とする寸法も自由に得ることができるので、建材として多方面に使用することができる。この発明は以上のように、昨今、とみに問題化されているハウスシック対策の建材として、缶入りコーヒーを製造する工場において、日々、多量に排出されるコーヒーの飲用後の排出滓である産業廃棄物と、防音、防振性にすぐれた古タイヤの産業廃棄物を利用して、それらを再利用（リサイクル）される新資材として活用することにおいて、まことに有用な発明となる。
【図面の簡単な説明】
【図１】この発明の建物用建材の使用例を説明する図。
【図２】この発明に用いる古タイヤの断面を示す図。
【図３】この発明の建物用建材の他の使用例を説明する図。
【図４】この発明の建物用建材の最適の実施例を説明する図。
【図５】この発明の建物用建材のさらに他の使用例を説明する図。
【符号の説明】
（Ａ１）〜（Ａ３）  建物用建材
（Ｔ）  古タイヤ
（１）  細断片
（１’）  粉末物
（２）  石膏材
（３），（３ａ）  層状物
（３’）  内層
（３”）  外層
（４），（４’）  板状物体
（４ａ）  銘木合板
（ａ）  接着剤
（Ｋ）  活性炭成分
（Ｄ）  扉材
【図１】
0004247400.tif 000002
【図２】
0004247400.tif 000003
【図３】
0004247400.tif 000004
【図４】
0004247400.tif 000005
【図５】
0004247400.tif 000006